(57)【特許請求の範囲】
【請求項１】
互いに表示形態の異なる複数種類のソフトウェアを選択的に用いてプラントデータに関する情報を画面上に表示するプラント情報表示装置において、
前記プラントデータと当該プラントデータを表示対象とする前記ソフトウェアとの対応関係を規定する規定手段と、
前記プラントデータを階層的に展開表示する第１のプラントデータ表示手段と、
前記第１のプラントデータ表示手段により表示された画面上の前記プラントデータに対する選択操作を受け付ける第１のプラントデータ選択受付手段と、
前記第１のプラントデータ選択受付手段で選択された前記プラントデータを表示対象とする前記ソフトウェアを、前記規定手段に基づいて抽出する第１の抽出手段と、
前記第１の抽出手段で抽出された前記ソフトウェアの中から特定のソフトウェアを選択させるための画面を表示し、その画面上での操作により前記ソフトウェアの選択操作を受け付ける第１のソフトウェア選択受付手段と、
前記第１のソフトウェア選択受付手段を介して選択されたソフトウェアを用いて、前記第１のプラントデータ選択受付手段を介して選択されたプラントデータに関する情報を画面上に表示する第１の情報表示手段と、
前記複数種類のソフトウェアの中から特定のソフトウェアを選択させるための画面を表示し、その画面上での操作により前記ソフトウェアの選択操作を受け付ける第２のソフトウェア選択受付手段と、
前記第２のソフトウェア選択受付手段で選択された前記ソフトウェアがその表示対象とする前記プラントデータを、前記規定手段に基づいて抽出する第２の抽出手段と、
前記第２の抽出手段により抽出された前記プラントデータを階層的に展開表示する第２のプラントデータ表示手段と、
前記第２のプラントデータ表示手段により表示された画面上の前記プラントデータに対する選択操作を受け付ける第２のプラントデータ選択受付手段と、
前記第２のソフトウェア選択受付手段を介して選択されたソフトウェアを用いて、前記第２のプラントデータ選択受付手段を介して選択されたプラントデータに関する情報を画面上に表示する第２の情報表示手段と、
前記第２のソフトウェア選択受付手段により表示される前記画面が、前記第１のプラントデータ表示手段による前記展開表示を指示するための操作画面として機能することを特徴とするプラント情報表示装置。
【請求項２】
互いに表示形態の異なる複数種類のソフトウェアを選択的に用いてプラントデータに関する情報を画面上に表示するプラント情報表示装置において、
前記プラントデータと当該プラントデータを表示対象とする前記ソフトウェアとの対応関係を規定する規定手段と、
前記複数種類のソフトウェアの中から特定のソフトウェアを選択させるための画面を表示し、その画面上での操作により前記ソフトウェアの選択操作を受け付けるソフトウェア選択受付手段と、
前記ソフトウェア選択受付手段で選択された前記ソフトウェアがその表示対象とする前記プラントデータを、前記規定手段に基づいて抽出する抽出手段と、
前記抽出手段により抽出された前記プラントデータを階層的に展開表示するプラントデータ表示手段と、
前記プラントデータ表示手段により表示された画面上の前記プラントデータに対する選択操作を受け付けるプラントデータ選択受付手段と、
前記ソフトウェア選択受付手段を介して選択されたソフトウェアを用いて、前記プラントデータ選択受付手段を介して選択されたプラントデータに関する情報を画面上に表示する情報表示手段と、
を備え、
前記プラントデータ選択受付手段は、前記プラントデータ表示手段により階層的に展開表示された前記プラントデータのアイコンを画面上の所定領域へ移動させる操作を、当該プラントデータに対する選択操作として受け付けることを特徴とするプラント情報表示装置。
【請求項３】
互いに表示形態の異なる複数種類のソフトウェアを選択的に用いてプラントデータに関する情報を画面上に表示するプラント情報表示方法において、
前記プラントデータと当該プラントデータを表示対象とする前記ソフトウェアとの対応関係を規定する規定ステップと、
前記プラントデータを階層的に展開表示する第１のプラントデータ表示ステップと、
前記第１のプラントデータ表示ステップにより表示された画面上の前記プラントデータに対する選択操作を受け付ける第１のプラントデータ選択受付ステップと、
前記第１のプラントデータ選択受付ステップで選択された前記プラントデータを表示対象とする前記ソフトウェアを、前記規定ステップで規定された前記対応関係に基づいて抽出する第１の抽出ステップと、
前記第１の抽出ステップで抽出された前記ソフトウェアの中から特定のソフトウェアを選択させるための画面を表示し、その画面上での操作により前記ソフトウェアの選択操作を受け付ける第１のソフトウェア選択受付ステップと、
前記第１のソフトウェア選択受付ステップを介して選択されたソフトウェアを用いて、前記第１のプラントデータ選択受付ステップを介して選択されたプラントデータに関する情報を画面上に表示する第１の情報表示ステップと、
前記複数種類のソフトウェアの中から特定のソフトウェアを選択させるための画面を表示し、その画面上での操作により前記ソフトウェアの選択操作を受け付ける第２のソフトウェア選択受付ステップと、
前記第２のソフトウェア選択受付ステップで選択された前記ソフトウェアがその表示対象とする前記プラントデータを、前記規定ステップで規定された前記対応関係に基づいて抽出する第２の抽出ステップと、
前記第２の抽出ステップにより抽出された前記プラントデータを階層的に展開表示する第２のプラントデータ表示ステップと、
前記第２のプラントデータ表示ステップにより表示された画面上の前記プラントデータに対する選択操作を受け付ける第２のプラントデータ選択受付ステップと、
前記第２のソフトウェア選択受付ステップを介して選択されたソフトウェアを用いて、前記第２のプラントデータ選択受付ステップを介して選択されたプラントデータに関する情報を画面上に表示する第２の情報表示ステップと、
前記第２のソフトウェア選択受付ステップにより表示される前記画面が、前記第１のプラントデータ表示ステップによる前記展開表示を指示するための操作画面として機能することを特徴とするプラント情報表示方法。
【請求項４】
互いに表示形態の異なる複数種類のソフトウェアを選択的に用いてプラントデータに関する情報を画面上に表示するプラント情報表示方法において、
前記プラントデータと当該プラントデータを表示対象とする前記ソフトウェアとの対応関係を規定する規定ステップと、
前記複数種類のソフトウェアの中から特定のソフトウェアを選択させるための画面を表示し、その画面上での操作により前記ソフトウェアの選択操作を受け付けるソフトウェア選択受付ステップと、
前記ソフトウェア選択受付ステップで選択された前記ソフトウェアがその表示対象とする前記プラントデータを、前記規定ステップで規定された前記対応関係に基づいて抽出する抽出ステップと、
前記抽出ステップにより抽出された前記プラントデータを階層的に展開表示するプラントデータ表示ステップと、
前記プラントデータ表示ステップにより表示された画面上の前記プラントデータに対する選択操作を受け付けるプラントデータ選択受付ステップと、
前記ソフトウェア選択受付ステップを介して選択されたソフトウェアを用いて、前記プラントデータ選択受付ステップを介して選択されたプラントデータに関する情報を画面上に表示する情報表示ステップと、
を備え、
前記プラントデータ選択受付ステップでは、前記プラントデータ表示ステップにより階層的に展開表示された前記プラントデータのアイコンを画面上の所定領域へ移動させる操作を、当該プラントデータに対する選択操作として受け付けることを特徴とするプラント情報表示装置。
【発明の詳細な説明】
【技術分野】
【０００１】
本発明は、互いに表示形態の異なる複数種類のソフトウェアを選択的に用いてプラントデータに関する情報を画面上に表示するプラント情報表示装置およびプラント情報表示方法に関する。
【背景技術】
【０００２】
プラントには多数の機器データやプロセスデータが使用される。また、それらのデータを用いてプロセス操業に必要な機能を提供するツールも多数用意されている。プラント操業に関連した何らかの操作を行う場合、オペレータは対応するツールを起動させ、さらにデータを指定するなどの操作を行うことで、操業に必要な表示画面等を得ている。
【特許文献１】特開２００７−２６４８６１号公報
【発明の開示】
【発明が解決しようとする課題】
【０００３】
しかし、従来のシステムでは操業に必要な機能が様々なツールに分散しており、目的の操作に辿り着くまでに煩雑な操作が要求される。また、目的とする行為のためのツールを起動するためには、分散したメニューや実行ファイルのロケーションを熟知していなければならない。また、それぞれのツールでは起動時に与える引数や操作方法が独自の仕様で実装されており、ツールによっては手動で起動引数を入力する必要があるなど、操作に習熟を要する。
【０００４】
本発明の目的は、操作性がよく、容易に目的の情報を得ることができるプラント情報表示装置およびプラント情報表示方法を提供することにある。
【課題を解決するための手段】
【０００５】
本発明のプラント情報表示装置は、互いに表示形態の異なる複数種類のソフトウェアを選択的に用いてプラントデータに関する情報を画面上に表示するプラント情報表示装置において、前記プラントデータと当該プラントデータを表示対象とする前記ソフトウェアとの対応関係を規定する規定手段と、前記プラントデータを階層的に展開表示する第１のプラントデータ表示手段と、前記第１のプラントデータ表示手段により表示された画面上の前記プラントデータに対する選択操作を受け付ける第１のプラントデータ選択受付手段と、前記第１のプラントデータ選択受付手段で選択された前記プラントデータを表示対象とする前記ソフトウェアを、前記規定手段に基づいて抽出する第１の抽出手段と、前記第１の抽出手段で抽出された前記ソフトウェアの中から特定のソフトウェアを選択させるための画面を表示し、その画面上での操作により前記ソフトウェアの選択操作を受け付ける第１のソフトウェア選択受付手段と、前記第１のソフトウェア選択受付手段を介して選択されたソフトウェアを用いて、前記第１のプラントデータ選択受付手段を介して選択されたプラントデータに関する情報を画面上に表示する第１の情報表示手段と、前記複数種類のソフトウェアの中から特定のソフトウェアを選択させるための画面を表示し、その画面上での操作により前記ソフトウェアの選択操作を受け付ける第２のソフトウェア選択受付手段と、前記第２のソフトウェア選択受付手段で選択された前記ソフトウェアがその表示対象とする前記プラントデータを、前記規定手段に基づいて抽出する第２の抽出手段と、前記第２の抽出手段により抽出された前記プラントデータを階層的に展開表示する第２のプラントデータ表示手段と、前記第２のプラントデータ表示手段により表示された画面上の前記プラントデータに対する選択操作を受け付ける第２のプラントデータ選択受付手段と、前記第２のソフトウェア選択受付手段を介して選択されたソフトウェアを用いて、前記第２のプラントデータ選択受付手段を介して選択されたプラントデータに関する情報を画面上に表示する第２の情報表示手段と、前記第２のソフトウェア選択受付手段により表示される前記画面が、前記第１のプラントデータ表示手段による前記展開表示を指示するための操作画面として機能することを特徴とする。
このプラント情報表示装置によれば、プラントデータを階層的に展開表示し、画面上のプラントデータに対する選択操作を受け付け、選択されたプラントデータを表示対象とするソフトウェアを、規定された対応関係に基づいて抽出し、抽出されたソフトウェアの中から特定のソフトウェアを選択させるための画面を表示し、その画面上での操作によりソフトウェアの選択操作を受け付けるので、簡単な操作で目的とする情報を表示させることができる。
【０００６】
本発明のプラント情報表示装置は、互いに表示形態の異なる複数種類のソフトウェアを選択的に用いてプラントデータに関する情報を画面上に表示するプラント情報表示装置において、前記プラントデータと当該プラントデータを表示対象とする前記ソフトウェアとの対応関係を規定する規定手段と、前記複数種類のソフトウェアの中から特定のソフトウェアを選択させるための画面を表示し、その画面上での操作により前記ソフトウェアの選択操作を受け付けるソフトウェア選択受付手段と、前記ソフトウェア選択受付手段で選択された前記ソフトウェアがその表示対象とする前記プラントデータを、前記規定手段に基づいて抽出する抽出手段と、前記抽出手段により抽出された前記プラントデータを階層的に展開表示するプラントデータ表示手段と、前記プラントデータ表示手段により表示された画面上の前記プラントデータに対する選択操作を受け付けるプラントデータ選択受付手段と、前記ソフトウェア選択受付手段を介して選択されたソフトウェアを用いて、前記プラントデータ選択受付手段を介して選択されたプラントデータに関する情報を画面上に表示する情報表示手段と、を備え、前記プラントデータ選択受付手段は、前記プラントデータ表示手段により階層的に展開表示された前記プラントデータのアイコンを画面上の所定領域へ移動させる操作を、当該プラントデータに対する選択操作として受け付けることを特徴とするプラント情報表示装置。
このプラント情報表示装置によれば、複数種類のソフトウェアの中から特定のソフトウェアを選択させるための画面を表示し、その画面上での操作によりソフトウェアの選択操作を受け付け、選択されたソフトウェアがその表示対象とするプラントデータを、規定された対応関係に基づいて抽出し、抽出されたプラントデータを階層的に展開表示し、画面上のプラントデータに対する選択操作を受け付けるので、簡単な操作で目的とする情報を表示させることができる。
【０００７】
本発明のプラント情報表示方法は、互いに表示形態の異なる複数種類のソフトウェアを選択的に用いてプラントデータに関する情報を画面上に表示するプラント情報表示方法において、前記プラントデータと当該プラントデータを表示対象とする前記ソフトウェアとの対応関係を規定する規定ステップと、前記プラントデータを階層的に展開表示する第１のプラントデータ表示ステップと、前記第１のプラントデータ表示ステップにより表示された画面上の前記プラントデータに対する選択操作を受け付ける第１のプラントデータ選択受付ステップと、前記第１のプラントデータ選択受付ステップで選択された前記プラントデータを表示対象とする前記ソフトウェアを、前記規定ステップで規定された前記対応関係に基づいて抽出する第１の抽出ステップと、前記第１の抽出ステップで抽出された前記ソフトウェアの中から特定のソフトウェアを選択させるための画面を表示し、その画面上での操作により前記ソフトウェアの選択操作を受け付ける第１のソフトウェア選択受付ステップと、前記第１のソフトウェア選択受付ステップを介して選択されたソフトウェアを用いて、前記第１のプラントデータ選択受付ステップを介して選択されたプラントデータに関する情報を画面上に表示する第１の情報表示ステップと、前記複数種類のソフトウェアの中から特定のソフトウェアを選択させるための画面を表示し、その画面上での操作により前記ソフトウェアの選択操作を受け付ける第２のソフトウェア選択受付ステップと、前記第２のソフトウェア選択受付ステップで選択された前記ソフトウェアがその表示対象とする前記プラントデータを、前記規定ステップで規定された前記対応関係に基づいて抽出する第２の抽出ステップと、前記第２の抽出ステップにより抽出された前記プラントデータを階層的に展開表示する第２のプラントデータ表示ステップと、
前記第２のプラントデータ表示ステップにより表示された画面上の前記プラントデータに対する選択操作を受け付ける第２のプラントデータ選択受付ステップと、前記第２のソフトウェア選択受付ステップを介して選択されたソフトウェアを用いて、前記第２のプラントデータ選択受付ステップを介して選択されたプラントデータに関する情報を画面上に表示する第２の情報表示ステップと、前記第２のソフトウェア選択受付ステップにより表示される前記画面が、前記第１のプラントデータ表示ステップによる前記展開表示を指示するための操作画面として機能することを特徴とする。
このプラント情報表示方法によれば、プラントデータを階層的に展開表示し、画面上のプラントデータに対する選択操作を受け付け、選択されたプラントデータを表示対象とするソフトウェアを、規定された対応関係に基づいて抽出し、抽出されたソフトウェアの中から特定のソフトウェアを選択させるための画面を表示し、その画面上での操作によりソフトウェアの選択操作を受け付けるので、簡単な操作で目的とする情報を表示させることができる。
【０００８】
本発明のプラント情報表示装置は、互いに表示形態の異なる複数種類のソフトウェアを選択的に用いてプラントデータに関する情報を画面上に表示するプラント情報表示方法において、前記プラントデータと当該プラントデータを表示対象とする前記ソフトウェアとの対応関係を規定する規定ステップと、前記複数種類のソフトウェアの中から特定のソフトウェアを選択させるための画面を表示し、その画面上での操作により前記ソフトウェアの選択操作を受け付けるソフトウェア選択受付ステップと、前記ソフトウェア選択受付ステップで選択された前記ソフトウェアがその表示対象とする前記プラントデータを、前記規定ステップで規定された前記対応関係に基づいて抽出する抽出ステップと、前記抽出ステップにより抽出された前記プラントデータを階層的に展開表示するプラントデータ表示ステップと、前記プラントデータ表示ステップにより表示された画面上の前記プラントデータに対する選択操作を受け付けるプラントデータ選択受付ステップと、前記ソフトウェア選択受付ステップを介して選択されたソフトウェアを用いて、前記プラントデータ選択受付ステップを介して選択されたプラントデータに関する情報を画面上に表示する情報表示ステップと、を備え、前記プラントデータ選択受付ステップでは、前記プラントデータ表示ステップにより階層的に展開表示された前記プラントデータのアイコンを画面上の所定領域へ移動させる操作を、当該プラントデータに対する選択操作として受け付けることを特徴とする。
このプラント情報表示方法によれば、複数種類のソフトウェアの中から特定のソフトウェアを選択させるための画面を表示し、その画面上での操作によりソフトウェアの選択操作を受け付け、選択されたソフトウェアがその表示対象とするプラントデータを、規定された対応関係に基づいて抽出し、抽出されたプラントデータを階層的に展開表示し、画面上のプラントデータに対する選択操作を受け付けるので、簡単な操作で目的とする情報を表示させることができる。
【発明の効果】
【０００９】
本発明のプラント情報表示装置によれば、プラントデータを階層的に展開表示し、画面上のプラントデータに対する選択操作を受け付け、選択されたプラントデータを表示対象とするソフトウェアを、規定された対応関係に基づいて抽出し、抽出されたソフトウェアの中から特定のソフトウェアを選択させるための画面を表示し、その画面上での操作によりソフトウェアの選択操作を受け付けるので、簡単な操作で目的とする情報を表示させることができる。
【００１０】
本発明のプラント情報表示装置によれば、複数種類のソフトウェアの中から特定のソフトウェアを選択させるための画面を表示し、その画面上での操作によりソフトウェアの選択操作を受け付け、選択されたソフトウェアがその表示対象とするプラントデータを、規定された対応関係に基づいて抽出し、抽出されたプラントデータを階層的に展開表示し、画面上のプラントデータに対する選択操作を受け付けるので、簡単な操作で目的とする情報を表示させることができる。
【００１１】
本発明のプラント情報表示方法によれば、プラントデータを階層的に展開表示し、画面上のプラントデータに対する選択操作を受け付け、選択されたプラントデータを表示対象とするソフトウェアを、規定された対応関係に基づいて抽出し、抽出されたソフトウェアの中から特定のソフトウェアを選択させるための画面を表示し、その画面上での操作によりソフトウェアの選択操作を受け付けるので、簡単な操作で目的とする情報を表示させることができる。
【００１２】
本発明のプラント情報表示方法によれば、複数種類のソフトウェアの中から特定のソフトウェアを選択させるための画面を表示し、その画面上での操作によりソフトウェアの選択操作を受け付け、選択されたソフトウェアがその表示対象とするプラントデータを、規定された対応関係に基づいて抽出し、抽出されたプラントデータを階層的に展開表示し、画面上のプラントデータに対する選択操作を受け付けるので、簡単な操作で目的とする情報を表示させることができる。
【発明を実施するための最良の形態】
【００１３】
以下、図１〜図５を参照して、本発明によるプラント情報表示装置の一実施形態について説明する。
【００１４】
図１は、本実施形態のプラント情報表示装置が適用されるフィールド制御システムの構成を示すブロック図である。
【００１５】
図１に示すように、フィールド制御システムは、プラントに分散配置されたフィールドコントローラ２，２，・・・と、フィールドコントローラ２，２，・・・を介してフィールド機器のプラントデータを収集し、プラント操業のための操作および監視を行うための操作監視装置１とを備える。
【００１６】
図１に示すように、操作監視装置１は、すべてのプラントデータと当該プラントデータを表示対象とするソフトウェア（ツール、メニュー等）との対応関係を規定する規定手段１１と、プラントデータを階層的に展開表示するプラントデータ表示手段１２と、プラントデータ表示手段１２により表示された画面上のプラントデータに対する選択操作を受け付けるプラントデータ選択受付手段１３と、ソフトウェアの中から特定のソフトウェアを選択させるための画面を表示し、その画面上での操作により前記ソフトウェアの選択操作を受け付けるソフトウェア選択受付手段１４と、ソフトウェアまたはプラントデータを規定手段１１に基づいて抽出する抽出手段１５と、ソフトウェア選択受付手段１４を介して選択されたソフトウェアを用いて、プラントデータ選択受付手段１３を介して選択されたプラントデータに関する情報を画面上に表示する情報表示手段１６と、を構成する。
【００１７】
次に、操作監視装置１における表示動作について説明する。
【００１８】
図２は、操作監視装置１の操作監視画面に表示されるランチャバー３を示す図である。ランチャバー３は、プラントデータ表示手段１２およびソフトウェア選択受付手段１４により表示される。ランチャバー３には、プラント操業に関するツール、メニュー類が集約されている。ランチャバー３は操作監視画面の左側もしくは右側に常駐し、必要時以外はオペレータの操作を妨げないように自動的に最小化表示される。それぞれのツールおよびメニュー類は機能単位でタブとしてランチャバー３内に格納され、タブの選択により切り替えることが可能とされている。
【００１９】
ランチャバー３はオペレータの操作の基点となり、プラント操業に関連した何らかの行為をしようとする場合、オペレータはランチャバー３内の目的の行為に該当するタブから操作を展開することができる。ランチャバー３の各ノードは、ドラッグアンドドロップによる他機能への割付機能および各種ツールを起動引数の入力を省いて自動的に起動することができるコンテキストメニューを備える。
【００２０】
図２は、「トレンド」のタブ３１が選択された状態を示している。「トレンド」はプラントデータのトレンド表示のツールに対応している。「トレンド」のタブ３１が選択された場合、抽出手段１５は、規定手段１１に基づいてトレンド表示のためのツールによりトレンド表示の対象とされているプラントデータを抽出し、プラントデータ表示手段１２は、抽出されたプラントデータをツリー階層構造で表示する。
【００２１】
オペレータが、階層表示されたプラントデータのアイコンを操作して展開表示させ、特定のプラントデータのアイコンを選択操作すると、この操作を、ソフトウェア選択受付手段１４は選択されているタブに対応するツールの選択操作として、プラントデータ選択受付手段１３は操作されたアイコンに対応するプラントデータの選択操作として、それぞれ受け付ける。
【００２２】
図２の例では、アイコン３２への操作により「BLOCK 03」を展開し、さらにアイコン３３への操作により「GROUP 01」を展開することで、「GROUP 01」に属するプラントデータを展開表示させ、アイコン３４への操作により「PVI_RAMP03.PV」のプロセスタグに対応するプラントデータを選択している。
【００２３】
なお、ランチャバー３の領域３５には、ランチャバー３を用いて実行した操作の履歴が表示される。
【００２４】
次に、情報表示手段１６は、ソフトウェア選択受付手段１４を介して選択されたツールを起動し、プラントデータ選択受付手段１３を介して選択されたプラントデータに関する情報を画面上に表示する。図２の場合には、トレンド表示のためのツールの機能により、「PVI_RAMP03.PV」のタグに対応するプラントデータのトレンドグラフが表示される。
【００２５】
複数のプラントデータを選択し、１つの画面上に複数のトレンドグラフを表示させることもできる。図３は、図２に示した方法でプラントデータを展開表示させ、ドラッグアンドドロップによりプラントデータのアイコンを領域４１にコピーすることで、これらのプラントデータが選択された状態を示している。図３の例では、複数のプラントデータが選択され、領域４２には、選択されたプラントデータについてトレンド表示のためのツールによる演算結果（トレンドグラフ）が表示される。
【００２６】
このように、オペレータは、ランチャバー３に対する操作のみで、ツールの指定およびプラント内のプロセスタグの指定を順次、行うことができる。
【００２７】
図４は、「プラント」のタブ３６が選択された状態を示している。「プラント」のタブ３６が選択された場合、プラントデータ表示手段１２により、規定手段１１に登録されたプラント内のすべてのプラントデータがツリー状のプラント階層に従って展開可能な状態で表示される。図４の例では、必要な展開操作の後、アイコン３７への操作により「PVI_SIN02」のプロセスタグに対応するプラントデータを選択した状態を示している。
【００２８】
ここで、アイコン３７を右クリックすると、ソフトウェア選択受付手段１４により、各種ツールを起動引数の入力を省いて起動することができるコンテキストメニュー５が表示される。コンテキストメニュー５の表示に際して、抽出手段１５は規定手段１１に基づいて、選択されている「PVI_SIN02」のタグについて使用可能なツールをすべて抽出する。ソフトウェア選択受付手段１４はこの抽出されたツールのみをコンテキストメニュー５内に表示する。
【００２９】
ソフトウェア選択受付手段１４は、オペレータによるコンテキストメニュー５内のツールの選択操作を受け付ける。また、ツールの選択操作時に、プラントデータ選択受付手段１３は、対応するプロセスタグ、すなわちアイコン３７に対応するプロセスタグの選択操作を受け付ける。
【００３０】
次に、情報表示手段１６は、ソフトウェア選択受付手段１４を介して選択されたツールを起動し、プラントデータ選択受付手段１３を介して選択されたプラントデータに関する情報を画面上に表示する。
【００３１】
このように、オペレータは、プラント内のある特定のプロセスタグを先に指定し、その後、適用するツールを選択することもできる。例えば、特定のプロセスタグに対してパラメータを調整する場合には、このプロセスタグのアイコンから右クリックでコンテキストメニュー５を展開し、アイコン５１を選択することでパラメータチューニングのためのツール（チューニングウィンドウ）を呼び出せばよい。このように、オペレータは、ランチャバー３に対する操作のみで、プラント内のプロセスタグの指定およびツールの指定を順次、行うことができる。
【００３２】
以上のように、本実施形態のプラント情報表示装置によれば、今まで操作監視画面内に分散していた諸機能の呼び出しを１つのランチャバーに集約することで操作効率を向上させることができる。
【００３３】
また、プラントデータを階層的に展開表示させてデータを指定し、あるいはドラッグアンドドロップなどの操作によりデータを指定できるため、直感的な操作に基づいたデータアクセスが可能となる。また、タグの選択、あるいは右クリックなどの操作によりツールを選択できるため、直感的な操作に基づいたツールの選択が可能となる。このため操作に習熟を要することなく、容易に目的の情報を得ることができる。
【００３４】
さらに、規定手段１１にすべてのプロセスデータを登録することで、プラントデータの一覧表示機能をランチャバーに集約できるため、プラント内のすべてのプロセスデータを対象にしたデータ検索が可能となる。図５は、検索画面を示しており、領域６１で検索キーワードを、領域６２で検索範囲を、領域６３で検索対象をそれぞれ指定し、検索開始ボタン６４を操作すると、規定手段１１に登録されたプロセスデータが検索され、検索条件に合致するデータが抽出されて領域６５に一覧表示される。
【００３５】
以上説明したように、本発明のプラント情報表示装置によれば、プラントデータを階層的に展開表示し、画面上のプラントデータに対する選択操作を受け付け、選択されたプラントデータを表示対象とするソフトウェアを、規定された対応関係に基づいて抽出し、抽出されたソフトウェアの中から特定のソフトウェアを選択させるための画面を表示し、その画面上での操作によりソフトウェアの選択操作を受け付けるので、簡単な操作で目的とする情報を表示させることができる。また、本発明のプラント情報表示装置によれば、複数種類のソフトウェアの中から特定のソフトウェアを選択させるための画面を表示し、その画面上での操作によりソフトウェアの選択操作を受け付け、選択されたソフトウェアがその表示対象とするプラントデータを、規定された対応関係に基づいて抽出し、抽出されたプラントデータを階層的に展開表示し、画面上のプラントデータに対する選択操作を受け付けるので、簡単な操作で目的とする情報を表示させることができる。
【００３６】
本発明の適用範囲は上記実施形態に限定されることはない。本発明は、互いに表示形態の異なる複数種類のソフトウェアを選択的に用いてプラントデータに関する情報を画面上に表示するプラント情報表示装置およびプラント情報表示方法に対し、広く適用することができる。
【図面の簡単な説明】
【００３７】
【図１】一実施形態のプラント情報表示装置が適用されるフィールド制御システムの構成を示すブロック図。
【図２】操作監視画面に表示されるランチャバーを示す図。
【図３】選択された複数のプラントデータについてトレンドグラフが表示された画面を示す図。
【図４】「プラント」のタブが選択された状態を示す図。
【図５】検索画面を示す図。
【符号の説明】
【００３８】
１１    規定手段
１２    プラントデータ表示手段
１３    プラントデータ選択受付手段
１４    ソフトウェア選択受付手段
１５    抽出手段
１６    情報表示手段
【図１】
0005077826.tif 000002
【図２】
0005077826.tif 000003
【図３】
0005077826.tif 000004
【図４】
0005077826.tif 000005
【図５】
0005077826.tif 000006